(57)【要約】【課題】  花などの苗床をダンボール容器に入れて出荷するに際し、小バエ等の害虫を駆除して殺虫する簡易な装置を提供する。【解決手段】  苗床を傾斜したトレーに搭載し、該トレーをストッパーに衝突させる衝撃で小バエ等の害虫を苗床及び若葉の表裏から脱落させ、そして上方のノズルからのエアーで下方に設けられた液剤タンクの中に落としめる。【選択図】図２
0003121797.tif 000002
【実用新案登録請求の範囲】
【請求項１】
出荷する前の苗床に衝撃を与え且つエアーを吹き付けることによって苗床に付着した害虫の駆除と殺虫を同時に行うことができる苗床の害虫駆除装置。
【請求項２】
前記衝撃が足踏みペダルによって発生せしめられた請求項１に記載の苗床の害虫駆除装置。
【請求項３】
前記装置のノズルの首を振ることができる請求項１〜２に記載の苗床の害虫駆除装置。
【考案の詳細な説明】
【技術分野】
【０００１】  この考案は花等の苗床を出荷する前に苗床に付着した害虫の駆除と殺虫を同時に行うことができる苗床の害虫駆除装置に関する。
【背景技術】
【０００２】  例えば１枚の苗床は高さ４ｃｍ×長さ５４ｃｍ幅×２８ｃｍの苗床容器に収納され、この苗床にダリヤ等花の苗が密生して植えられている。
この苗床に育成されている苗は瑞々しい若葉である。
通常はこの若葉の表裏には害虫である小バエが多数繁殖して付着している。
該小バエは温室内で太陽の下、自然農法で苗を育てる場合は当然のように生じ、付着しているものである。
従来、この若葉の苗床を出荷する作業手順としては、
▲１▼苗床を苗床容器から取り出して平らな台の上に広げ、若葉の上からエアーコンプレッサーから送られてくるエアーをエアーガンで吹き付けて小バエを吹き飛ばす。
▲２▼苗床を１枚毎にダンボール箱に詰め、更にこれら７〜８個を積み重ねて大型のダンボール容器に入れて密閉し、出荷されていた。【０００３】  即ち、上記平らな台の上に広げられた苗床の若葉の上方からエアーをエアーガンで吹き付けて小バエを吹き飛ばす従来の小バエ駆除方法では、若葉の表面の小バエはエアーで一度は飛散して除去されるが、これらの小バエは温室の元の巣に戻って増殖を続け、減少することは無かった。【０００４】  一方、若葉の裏に居た小バエはそのまま苗床の若葉に付着してダンボール容器のまま移動し、輸送中も成長繁殖が続いている。
そしてダンボール容器及びダンボール箱を開封すると、閉じ込められていた小バエが一斉に箱から外に飛び出して、移動先（例えば数ｋｍ離れたお店）の花や植木に飛着し、そこで更に巣を作って増殖し続ける。【０００５】  即ちこのことは、苗床がダンボール容器で配送されることによって、一つの温室の小バエ即ち害虫が全国に拡散せしめられることになる問題があった。【０００６】  然しながら従来この苗床の害虫を駆除する簡易な装置は見当らない。
【考案の開示】
【考案が解決しようとする課題】
【０００７】  この考案が解決しようとする課題は、上記問題点を解決することである。
即ち、苗床に発生して苗床及び若葉の表裏に付着している小バエ等の害虫を、苗床を出荷する前に駆除し、同時に殺虫することができる簡易な装置を廉価に提供することである。
【課題を解決するための手段】
【０００８】  この課題は、苗床の若葉の表裏に付着している前記小バエ等の害虫を衝撃によって分離せしめると同時に、苗床から分離脱落させられた小バエ等を捕捉して液剤タンクで死滅せしめることができる簡易な装置が提供されることによって解決される。
【考案の効果】
【０００９】  本案は、苗床とそれに植えられた花等の若葉から小バエ等の害虫を、衝撃とエアーとで追い出し、同時に下部に設けられた液剤タンク中に落して死滅せしめられる効果がある。【００１０】  本案によればこの苗床の害虫駆除装置において、他に特に必要とされるものはエアーコンプレッサーだけであって、該エアーコンプレッサーは日常でも極めて広く利用され、且つ廉価に入手できる。【００１１】  ノズルの首を振ることでエアーの吹き付けの効率が良くなり消費される空気の量が低減される。【００１２】  衝撃を与えるためのペダル操作は人力、即ち足踏みで行われ、設置が簡易に製作できる。又、足踏みペダルによってその衝撃の強さ、速さ、頻度等、対象によって自在に変化させることができ、より害虫の駆除率が高くなる。
【考案を実施するための最良の形態】
【００１３】  この考案は、足踏みペダルからのワイヤー伝動によって上下するトレーに乗せられた苗床が、傾斜角度を持つ脊板に載せられたトレーが足踏み操作によって上から下に落ち、ストッパーに衝突することで発生する衝撃により、害虫は苗床及び若葉から分離して浮き上がらせて振るい落され、同時にエアーノズルから吹き付けられるエアーによってこれ等害虫がトレーの下部に設けられた液剤タンクの中に落とされ死滅させられる。
【実施例１】
【００１４】  この実施例は図１に示す。
図１は斜視図、図２はその説明図であって、架台１に設けられた４５度から６０度までの傾斜可能な背板２の上にトレー４が搭載され、そして該トレー４に苗床５が置かれる。
トレー４は滑車７からワイヤー１１又はチェーンによってペダル１３から足踏み操作して点線４’の位置（一例として５ｃｍ）まで上方に移動できるようになっている。
そして踏み込んだペダル１４を放すと苗床５を乗せたトレー４が重力によって落ち、ストッパー３に衝突する。このとき衝撃が発生して苗床５から害虫が振り落される。
この足踏み操作は必要に応じて複数回（例えば４〜５回）行われる。【００１５】  この考案では足踏み操作と併せてノズル６からエアーが下方に噴出される。これによって上記衝撃で苗床５及び若葉９の表裏に付着している小バエなどの害虫が振り払われ、同時に上方からのエアーによって下方に設けられた液剤１２が入ったタンク１０の中に落とされる。
【実施例２】
【００１６】  この実施例は図２に示すようにノズル６は必要に応じて点線６’の位置から下方に向かって首を振り、苗床５と若葉９の表面を絞る（スクイズ）することができるようになっている。従ってこれらに付着している小バエ等は順次上方から下方に扱かれ、液剤タンク１０の中に落とされる。
【産業上の利用可能性】
【００１７】  この苗床の害虫駆除装置によれば、例えば高さ４ｃｍ×長さ５４ｃｍ幅×２８ｃｍの苗床の１枚ずつが手軽に取り扱うことができると共に、装置の移動が容易で取り扱いも簡単、かつ廉価な苗床の害虫駆除装置が提供できる。
そしてこの装置で苗床の害虫が駆除されることによって、ダンボール容器で輸送される苗床の害虫が拡散する恐れが格段に低下する。
【図面の簡単な説明】
【００１８】
【図１】  図１はこの考案の全体を示す斜視図
【図２】  図２は図１の要部を断面で示す説明図である。
【符号の説明】
【００２２】  １．架台
２．脊板
３．ストッパー
４．トレー
４’．トレー（移動した）
５．苗床
６．ノズル
６’．ノズル（移動前の）
７．滑車
９．若葉
１０．液剤タンク
１１．ワイヤー（チェーン）
１２．液剤
１３．ペダル
１４．ペダル（踏んで移動した）
【図１】
0003121797.tif 000003
【図２】
0003121797.tif 000004
【手続補正書】
【提出日】平成18年2月14日(2006.2.14)
【手続補正１】
【補正対象書類名】実用新案登録請求の範囲
【補正対象項目名】全文
【補正方法】変更
【補正の内容】
【実用新案登録請求の範囲】
【請求項１】
傾斜角度を持つ背板２の上に、移動可能に載せられるトレー４と、前記背板２の下方には苗床５を搭載したトレー４が落下して衝突するストッパー３と、そして下部に液剤１２が入った液剤タンク１０を備えたことを特徴とする苗床の害虫駆除装置。
【請求項２】
前記トレー４を上下させるワイヤー１１と足踏みペダル１３を設けた請求項１に記載の苗床の害虫駆除装置。
【請求項３】
前記トレー４の上方に苗床に向かってエアーを吹付けるノズル６を設けた請求項１に記載の苗床の害虫駆除装置。